(57)【要約】【課題】ステープル処理及びパンチ処理を行なう後処理装置（仕上げ処理装置）を備えた画像形成装置において、無駄なステープル処理を抑制する。【解決手段】ＣＰＵは、仕上げメニューが選択されると（Ｓ１０００にてＹＥＳ）、仕上げメニューを表示パネルに表示するステップ（Ｓ１０１０）と、ステープル処理及びパンチ処理が選択されると（Ｓ１０２０にてＹＥＳ）、コピーの部数を判定するステップ（Ｓ１０３０）と、部数が複数である場合にはステープルは１ヶ所のみで部毎に変動する位置に設定するステップ（Ｓ１０５０）と、部数が１部である場合にはステープルは１ヶ所のみの固定位置に設定するステップ（Ｓ１０６０）とを含むプログラムを実行する。【選択図】図９
2010280461.tif 000002
【特許請求の範囲】
【請求項１】
パンチ処理と、ステープル位置及びステープル数を設定することができるステープル処理とを行なう後処理装置を備えた画像形成装置であって、
ユーザから入力された要求情報に基づいて、前記後処理装置における処理の要求を検出するための検出手段と、
前記パンチ処理及び前記ステープル処理の要求が検出されると、ステープルを用いた綴じ態様を仮留め態様で処理するように、前記後処理装置を制御するための制御手段とを含む、画像形成装置。
【請求項２】
前記仮留め態様は、１ヶ所でのステープル綴じである、請求項１に記載の画像形成装置。
【請求項３】
前記制御手段は、複数個のステープルを用いたステープル処理の要求が検出された後にパンチ処理の要求が検出されると、複数個のステープルを用いた綴じ態様を１個のステープルを用いた綴じ態様に変更するための手段を含む、請求項１に記載の画像形成装置。
【請求項４】
前記制御手段は、パンチ処理の要求が検出された後においては、複数個のステープルを用いたステープル処理を禁止して、１個のステープルを用いたステープル処理を許可するための手段を含む、請求項１に記載の画像形成装置。
【請求項５】
前記画像形成装置は、画像形成される部数が２以上であると、部毎にステープル位置を変更するように前記後処理装置を制御するための手段をさらに含む、請求項１〜請求項４のいずれかに記載の画像形成装置。
【発明の詳細な説明】
【技術分野】
【０００１】
本発明は、記録用紙に画像を形成する画像形成装置に関し、特に、綴じ穴（パンチ穴）の穿孔処理及びステープルによる綴じ処理を行なう後処理装置（フィニッシャー）を備えた画像形成装置において無駄なステープル処理を抑制する技術に関する。
【背景技術】
【０００２】
従来から、電子写真方式等により記録用紙に画像を形成した後に、ステープルによる綴じ処理（以下、ステープル処理と記載する場合がある。）及びパンチ穿孔処理（以下、パンチ処理と記載する場合がある。）を自動的に行なうことできる後処理装置（仕上げ処理装置）が画像形成装置に備えられる場合がある。このような画像形成装置におけるステープル処理においては、記録用紙の束をステープルを用いて綴じて、これらステープルにより綴じられた複数部の記録用紙を排紙トレイ上に順次積み重ねていく。
【０００３】
このように複数部の記録用紙をステープルにより綴じる場合、それら複数部全てに対して予め設定された同一の箇所がステープルにより綴じられていた。このため、それら複数部を綴じた後に排出された排紙トレイ上では、ステープルの位置が同一箇所にあるため各部毎に積み上げられた記録用紙の一部が持ち上がる結果となり、これによりトレイ上におけるストック部数が少なくなり作業効率が悪くなったり、ステープルが同一箇所にあると前回排出した記録用紙のステープルに、現在排出中の記録用紙のステープルが引っ掛かかり排出不良又はスタック不揃いが発生したりする。なお、以下においては、ステープル針を単にステープルと記載する場合がある。また、ステープラとはステープル処理する機構（装置）を指す。
【０００４】
特開平４−３７５９２号公報（特許文献１）は、このような問題を解決する仕上げ装置を開示する。この仕上げ装置は、順次送られて来る記録用紙を揃えて停止させ、その記録用紙の１箇所又は複数箇所を１台又は複数台のステープラを用いてステープル処理を行なう。この仕上げ装置は、記録用紙を綴じるステープル針の長手方向に沿ってステープラを移動させるステープラ移動機構と、このステープラ移動機構によりステープル綴じを行なう記録用紙１部ごとにステープラを所定量移動させ前回のステープル位置と今回のステープル位置とが異なるように設定するステープル位置変更制御機構と、このステープル位置変更制御機構により互いに異なる位置にステープル綴じさせた記録用紙を排紙トレイ上に排出させる記録用紙搬送機構と、この記録用紙搬送機構により排出された紙の量に応じて排紙トレイ上面が下降しこの排紙トレイ上面を常に一定位置に保つ記録用紙所定量設定機構とを備えることを特徴とする。
【０００５】
この仕上げ装置によると、ステープル位置変更制御機構によりステープラ移動機構を駆動制御して、記録用紙１部毎にステープラの位置を最低そのステープル針の長さ以上にずらして綴じるようにすることによって、前回の綴じ位置と今回の綴じ位置とをずらした形で順次積み重ねていくことができる。このため、スタック性を一段と向上させることが可能となり、また、このように綴じ位置をずらすことにより従来に比べ排出性を一段と向上させることが可能となる。
【０００６】
また、パンチ処理及びステープル処理を行なえる後処理装置の場合、ステープル処理の綴じ位置が設定されると、パンチ処理の位置についての選択肢のうち、ステープル処理の綴じ位置と矛盾する設定が存在する。例えば、Ａ４の大きさの記録用紙の一方の長辺側にパンチ穴を穿孔すると、その長辺に対向する他方の長辺側又は短辺側をステープルにより綴じてしまうと、パンチ穴を用いたファイリングができなくなる。このようなことに気付いたユーザは、ステープル処理における綴じ位置を変更する必要があるが、ステープル処理以外のパンチ処理の設定を解除してから、ステープル綴じ位置の設定の変更操作を行なう必要がある場合には操作が極めて煩雑になる。
【０００７】
特開２００６−１５４４１６号公報（特許文献２）は、このような問題を解決する画像形成装置の制御装置を開示する。この制御装置は、設定に従って画像記録シート上に画像を形成する画像形成装置を制御する。この制御装置は、画像形成装置における画像の形成に係る設定を操作者に入力させる設定入力機構と、設定入力機構による第１設定項目の設定の変更に連動して、第１設定項目とは異なる第２設定項目の設定を変更する設定変更機構とを備え、第２設定項目の変更後の設定は、第１設定項目の変更後の設定とともに、画像形成装置における画像の形成に適用可能な設定であることを特徴とする。
【０００８】
この制御装置によると、第１設定項目の設定が変更されると、第２設定項目の設定が適切な設定に変更されるので、設定の変更を容易に行なうことができる。
【先行技術文献】
【特許文献】
【０００９】
【特許文献１】特開平４−３７５９２号公報
【特許文献２】特開２００６−１５４４１６号公報
【発明の概要】
【発明が解決しようとする課題】
【００１０】
従来技術においては、ステープルにより２ヶ所が綴じられるように設定されている場合にさらにパンチ処理が設定された場合には、記録用紙の束（１部の記録用紙）に対してステープルにより２ヶ所が綴じられてパンチ穴が穿孔される。ところで、パンチ処理が設定される場合、画像形成された記録用紙の束は、２穴式〜４穴式のファイルなどにファイリングされるため、同時に設定されるステープルは恒久的でなくてもよい可能性がある。すなわち、ステープルは、記録用紙の束がファイリングされるまでにバラバラになることを防ぐための一時的又は簡易的なものでよいといえる。
【００１１】
しかしながら、上述した特許文献２においては、ステープルにより２ヶ所が綴じられパンチ処理が行なわれる。このため、一時的又は簡易的なものでよいにもかかわらず２ヶ所においてステープル処理が行なわれるので、ステープル処理が無駄に行なわれている可能性がある（ステープル針の無駄な消費及びステープラによる電力の無駄な消費）。さらに、２ヶ所でステープル処理することは、特許文献１に開示されたようにステープルの位置を異ならせてステープル処理する場合に、ステープルの位置をずらせる範囲を狭めてしまうことにもなる。
【００１２】
したがって、本発明の目的は、ステープル処理及びパンチ処理を行なう後処理装置を備えた画像形成装置であって、無駄なステープル処理を抑制して、資源の有効活用と省エネルギを図ることができる、画像形成装置装置を提供することである。
【課題を解決するための手段】
【００１３】
本発明に係る画像形成装置は、パンチ処理と、ステープル位置及びステープル数を設定することができるステープル処理とを行なう後処理装置を備える。この画像形成装置は、ユーザから入力された要求情報に基づいて、後処理装置における処理の要求を検出するための検出手段と、パンチ処理及びステープル処理の要求が検出されると、ステープルを用いた綴じ態様を仮留め態様で処理するように、後処理装置を制御するための制御手段とを含む。ここで、仮留め態様は、１ヶ所でのステープル綴じであるように構成することができる。
【００１４】
この画像形成装置によると、パンチ処理及びステープル処理が要求された場合には、記録用紙の束に対するステープル処理が、例えば、強固に綴じる２ヶ所のステープル綴じではなく、一時的又は簡易的な１ヶ所のみでのステープル綴じである仮留め態様に設定される。パンチ処理及びステープル処理が設定される場合、ステープルは画像形成された記録用紙の束がファイリングされるまでにバラバラになることを防ぐための一時的又は簡易的なものでよいため、ステープルは仮留め態様である１ヶ所のみで綴じられる。その結果、無駄なステープル処理を抑制して、資源の有効活用と省エネルギを図ることができる。
【００１５】
制御手段は、複数個のステープルを用いたステープル処理の要求が検出された後にパンチ処理の要求が検出されると、複数個のステープルを用いた綴じ態様を１個のステープルを用いた綴じ態様に変更するための手段を含むように構成することができる。
【００１６】
この画像形成装置によると、ステープル２ヶ所綴じ処理（２ヶ所以上であればよい。）が設定された後にパンチ処理が設定された場合には、設定されたステープル２ヶ所綴じがキャンセルされて１ヶ所のみでのステープル綴じに変更される。その結果、ステープル処理及びパンチ処理を行なう場合に、ステープルは仮留めであるとの観点に基づいて、無駄なステープル処理を抑制して、資源の有効活用と省エネルギを図ることができる。
【００１７】
制御手段は、パンチ処理の要求が検出された後においては、複数個のステープルを用いたステープル処理を禁止して、１個のステープルを用いたステープル処理を許可するための手段を含むように構成することができる。
【００１８】
この画像形成装置によると、ステープル処理が設定される前にパンチ処理が設定された場合には、ステープル２ヶ所綴じが設定できなくなる（２ヶ所以上のステープル処理が設定不可）。その結果、ステープル処理及びパンチ処理を行なう場合に、ステープルは仮留めであるとの観点に基づいて、無駄なステープル処理を抑制して、資源の有効活用と省エネルギを図ることができる。
【００１９】
なお、画像形成装置は、画像形成される部数が２以上であると、部毎にステープル位置を変更するように後処理装置を制御するための手段をさらに含むように構成することができる。
【００２０】
２以上の部数を画像形成する場合には、部毎にステープルの位置をずらしてステープル処理を行なうので、排出トレイ上でスタックしてもステープルどうしが重なり合うことがない。このため、排紙トレイ上のストック部数が少なくなることを回避できたり、ステープルどうしが引っ掛からないので排出不良が発生することを抑制できたり、スタック不揃いが発生することを抑制できたりする。
【発明の効果】
【００２１】
本発明に係る画像形成装置によると、パンチ処理及びステープル処理が要求された場合には、記録用紙の束に対して２ヶ所のステープル綴じが設定されないで１ヶ所のみでステープル綴じが設定される。この結果、ステープル処理及びパンチ処理を行なう場合に、ステープルは仮留めであるとの観点に基づいて、無駄なステープル処理を抑制して、資源の有効活用と省エネルギを図ることができる。
【図面の簡単な説明】
【００２２】
【図１】本発明の第１の実施の形態に係る画像形成装置の外観を示す斜視図である。
【図２】図１に示す画像形成装置の内部構成を簡略化して示す図である。
【図３】図１に示す画像形成装置のハードウェア構成を示す機能ブロック図である。
【図４】図１に示す画像形成装置によりステープル処理された記録用紙の上面図である。
【図５】図１に示す画像形成装置におけるステープラの動作を示す図（その１）である。
【図６】図１に示す画像形成装置におけるステープラの動作を示す図（その２）である。
【図７】図１に示す画像形成装置におけるステープラの動作を示す図（その３）である。
【図８】図１に示す画像形成装置におけるステープラの動作を示す図（その４）である。
【図９】本発明の第１の実施の形態に係る画像形成装置において実行される後処理設定プログラムの制御構造を示すフローチャートである。
【図１０】本発明の第１の実施の形態に係る画像形成装置の表示パネルに表示される画面例を示す図である。
【図１１】本発明の第２の実施の形態に係る画像形成装置において実行される後処理設定プログラムの制御構造を示すフローチャートである。
【図１２】本発明の第３の実施の形態に係る画像形成装置において実行される後処理設定プログラムの制御構造を示すフローチャートである。
【図１３】本発明の実施の形態の変形例に係る画像形成装置によりステープル処理された記録用紙の断面図である。
【発明を実施するための形態】
【００２３】
以下の実施の形態では、同一の部品には同一の参照番号を付してある。それらの機能及び名称も同一である。したがって、それらについての詳細な説明は繰返さない。なお、以下においては、後処理装置を備えた、電子写真方式の画像形成装置について説明するが、本発明はこれに限定されず、ステープル処理及びパンチ処理が可能な画像形成装置であれば特に限定されない。
【００２４】
＜第１の実施の形態＞
以下に、本実施の形態に係る画像形成装置（複合機）について説明する。この画像形成装置は、上述したようにステープル処理及びパンチ処理が可能な構成を備える。
【００２５】
［画像形成装置：機能］
図１は、画像形成装置１５０の外観構成を示す図である。図２は、画像形成装置１５０の内部構成を簡略化して示す図である。図３は、画像形成装置１５０の機能ブロック図である。
【００２６】
図１及び図２を参照して、画像形成装置１５０は、原稿読取部１５２、画像形成部１５４、給紙部１５６、及び後処理部４００を備える。
【００２７】
ここで、コピーモードでの動作説明を行なうことによって、画像形成装置１５０の内部
構成の説明とする。このコピーモードにおいては、主として、原稿読取部（以下、スキャナ部と記載する場合がある。）１５２及び画像形成部１５４が動作することによりコピー機能が実現される。
【００２８】
画像形成装置１５０においては、原稿載置台に置かれた原稿が原稿読取部１５２により画像データとして読取られ、読取られた画像データが図４に示すマイクロコンピュータ等から構成されるＣＰＵ（Ｃｅｎｔｒａｌ  Ｐｒｏｃｅｓｓｉｎｇ  Ｕｎｉｔ）３００に入力され、ここで画像データに各種の画像処理が施され、この画像データが画像形成部１５４へと出力される。
【００２９】
画像形成部１５４は、画像データによって示される原稿の画像を記録媒体（多くの場合、記録用紙）に印刷するものであって、感光体ドラム２２２、帯電装置２２４、レーザスキャンユニット（以下、ＬＳＵと記載する場合がある。）２２６、現像装置２２８、転写装置２３０、クリーニング装置２３２、定着装置２３４、及び図示しない除電装置等を備えている。
【００３０】
画像形成部１５４には、主搬送路２３６及び反転搬送路２３８が設けられており、給紙部１５６から給紙されてきた記録用紙が主搬送路２３６に沿って搬送される。給紙部１５６は、用紙カセット２４０に収納された記録用紙、又は手差トレイ２４２に載置された記録用紙を１枚ずつ引出して記録用紙を画像形成部１５４の主搬送路２３６へと送り出す。
【００３１】
画像形成部１５４の主搬送路２３６に沿って記録用紙が搬送されている途中で、記録用紙が感光体ドラム２２２と転写装置２３０との間を通過し、更に定着装置２３４を通過して、記録用紙に対する印刷が行なわれる。
【００３２】
感光体ドラム２２２は、一方向に回転し、その表面は、クリーニング装置２３２と除電装置によりクリーニングされた後、帯電装置２２４により均一に帯電される。
【００３３】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００３４】
現像装置２２８は、トナーを感光体ドラム２２２の表面に供給して静電潜像を現像し、トナー像を感光体ドラム２２２の表面に形成する。
【００３５】
転写装置２３０は、当該転写装置２３０と感光体ドラム２２２との間を通過していく記録用紙に感光体ドラム２２２の表面のトナー像を転写する。
【００３６】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。
【００３７】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６又は後処理部４００を通って排紙トレイ１６８の方へと導かれる。
【００３８】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏が反転されて主搬送路２３６へと再び搬送され、主搬送路２３６の再度の搬送途中で、その裏面への印刷が行なわれて排紙トレイ２４６又は排紙トレイ１６８の方へと導かれる。
【００３９】
上述のように、印刷された記録用紙は、排紙トレイ２４６又は後処理部４００を通って排紙トレイ１６８に排出される。後処理部４００においては、画像が形成された記録用紙にパンチ穴を穿孔するパンチ処理及び各記録用紙の束にステープラを用いてステープルにより綴じるステープル処理が施される。後処理部４００においては、記録用紙１枚ずつにパンチ処理が行なわれたり、記録用紙の束に対してステープル処理が行なわれたりして、印刷物が作成される。
【００４０】
図２に示すように、後処理部４００は、記録用紙１枚ずつの搬送方向の後端側にパンチ穴を穿孔するパンチ処理部４０２と、ステープラ４０４及びステープルトレイ４０６を備えるステープル処理部４０８とを含む。後処理部４００に搬送されてきた記録用紙は、必要に応じて、パンチ処理部４０２により所定の位置に所定の個数のパンチ穴が穿孔される。また、後処理部４００に搬送されてきた記録用紙は、必要に応じて、ステープル処理部４０８により所定の位置に所定の個数のステープルにより記録用紙の束として綴じられる。
【００４１】
パンチ処理部４０２は、ＣＰＵ３００からの指示により回転駆動するパンチ軸、偏芯カムを介してパンチ軸に連結されたポンチ、ポンチをその内壁に摺動させるダイスとで構成される。なお、ダイスは、記録用紙の表裏にそれぞれ１つずつ対向するように配置される。すなわち、パンチ処理部４０２に記録用紙が搬送されたときに、対向する２つのダイスによって記録用紙が挟まれるようにダイスが配置される。
【００４２】
この状態でパンチ軸が９０度回転されると、偏芯カムの作動により、ポンチが表側のダイス内壁及び裏側のダイスの内壁に沿って移動して記録用紙を打ち抜くように、パンチ処理部４０２は構成されている。パンチ軸がさらに９０度回転されると、ポンチは元の位置に戻るように、パンチ処理部４０２は構成されている。このような構成であるので、パンチ処理部４０２においては、パンチ軸を正方向に１８０度回転させて１枚目の記録用紙にパンチ穴を穿孔して、パンチ軸を逆方向に１８０度回転させて２枚目の記録用紙にパンチ穴を穿孔する。
【００４３】
なお、パンチ処理部４０２は、このような構造に限定されるものではなく、記録用紙又は記録用紙の束にパンチ処理を行なえるものであれば特に限定されない。また、パンチ穴の数は、２個以上であれば特に限定されないが、２〜４個程度パンチ穴を穿孔するパンチ処理が多く用いられている。
【００４４】
ステープル処理部４０８に搬送されてきた記録用紙は、ステープルトレイ４０６に積載されて、ステープルトレイ４０６に綴じる単位の記録用紙がスタックされると、所定の位置に所定の数のステープルにより記録用紙の束が綴じられて、その後、排紙トレイ１６８に排出される。なお、このステープラ４０４によるステープルの位置及びステープラ４０４の移動については、後述する。
【００４５】
［画像形成装置：ハードウェア構成］
図３を参照して、画像形成装置１５０はさらに、コピー機能に関する設定が可能な操作装置１６６と、通電が遮断された場合であってもプログラム及びデータ等を記憶可能な不揮発性記憶領域であるＨＤＤ（Ｈａｒｄ  Ｄｉｓｋ  Ｄｒｉｖｅ）３０２と、プログラム等を記憶するためのＲＯＭ（Ｒｅａｄ  Ｏｎｌｙ  Ｍｅｍｏｒｙ）３０６と、プログラムを実行する際の記憶領域を提供するためのＲＡＭ（Ｒａｎｄｏｍ  Ａｃｃｅｓｓ  Ｍｅｍｏｒｙ）３０８とを含む。
【００４６】
画像形成装置１５０はさらに、原稿読取部１５２、画像形成部１５４、後処理部４００、操作装置１６６、ＲＯＭ３０６、ＨＤＤ３０２、及びＲＡＭ３０８に接続されるバス３１０と、バス３１０に接続された、画像形成装置としての一般的機能を実現するためのＣＰＵ３００とを含む。
【００４７】
ＲＯＭ３０６には、画像形成装置１５０の動作を制御するのに必要なプログラム及びデータ等が記憶されている。ＣＰＵ３００は、ＲＯＭ３０６に格納されているプログラム及びデータに従って画像形成装置１５０の制御を行なうと共に画像形成装置１５０の各機能に関する制御を実行する。
【００４８】
ＲＡＭ３０８は、ＣＰＵ３００による演算及び処理の結果を一時的に記憶するワーキングメモリとしての機能と、画像データを記憶するフレームメモリとしての機能とを提供する。
【００４９】
原稿読取部１５２、画像形成部１５４、操作装置１６６の板状の操作パネル１７０及び表示パネル１７２、並びにＲＯＭ３０６、ＨＤＤ３０２、及びＲＡＭ３０８に対する制御は、ＣＰＵ３００が所定のプログラムを実行することにより行なわれる。
【００５０】
操作装置１６６は、操作装置１６６の表面の右側の領域に配置された、テンキー、及びその他の種々の操作ボタンであるハードウェアキー（例えばスタートボタン）が備えられている板状の操作パネル１７０と、操作装置１６６の中央部から左側の領域に配置された、小型のタッチパネル一体型液晶表示装置から構成されている表示パネル１７２とを含む。操作パネル１７０と表示パネル１７２とは一つの筐体に保持され、操作装置１６６は全体として一体となるように構成されている。
【００５１】
この操作装置１６６においては、表示パネル１７２に、この画像形成装置１５０の状態、ジョブの処理状況等が表示される。表示パネル１７２の液晶表示装置の表示領域上には選択ボタンが表示され、この選択ボタンの表示されている領域を指で押すと、タッチパネルがその押された位置を検出する。プログラム上で選択ボタンの表示位置とタッチパネルが押された位置とを照合することにより、画像形成装置１５０の機能設定及び動作指示等が行なわれる。このような選択ボタンは、ソフトウェアにより表示パネル１７２に表示されるボタンである。
【００５２】
［画像形成装置：ステープル機能］
図４に、画像形成装置１５０によりステープル処理された記録用紙の上面図を示す。なお、図４における紙面左側が搬送方向の後端側であって、この後端側にステープルにより記録用紙の束が綴じられる。
【００５３】
図４（Ａ）に２ヶ所綴じの場合のステープルの位置が、図４（Ｂ）に奥側１ヶ所綴じの場合のステープルの位置が、図４（Ｃ）に奥側斜め綴じの場合のステープルの位置が、図４（Ｄ）に手前側１ヶ所綴じの場合のステープルの位置が、図４（Ｅ）に手前側斜め綴じの場合のステープルの位置が、それぞれ示されている。
【００５４】
本実施の形態に係る画像形成装置１５０においては、パンチ処理及びステープル処理される場合には、記録用紙の束に図４（Ａ）に示す２ヶ所綴じが設定されないように後処理が設定されるとともに、複数の部数をコピーする場合には、図４（Ｂ）及び図４（Ｄ）に示す１ヶ所綴じであって、部毎にステープルの位置をずらしてステープル処理を行なうように後処理が設定される。
【００５５】
図４に示すように所定の位置及び所定の数のステープルにより記録用紙の束を綴じるために、ステープラ４０４は移動機構を備える。図５〜図８を用いてステープラ４０４の移動動作について説明する。
【００５６】
ステープラ４０４はステープラ移動モータで移動する。ホームポジションはステープラ移動ホームポジションセンサが検知する。ＣＰＵ３００からの動作開始指示により、ステープラ４０４は移動範囲中央に移動する。なお、この移動は排紙種類に関わらず行なわれる。これはこの時点では排紙種類が確定していないためである。最初の用紙が後処理部４００に到達した時点で、ＣＰＵ３００からステープル指示があるとステープル位置と記録用紙のサイズとに応じたステープル待機位置にステープラ４０４が移動する。
【００５７】
ステープルモード（位置及び数）によるステープラ４０４の待機位置及びステープル位置（ステープル処理する位置）を、図５〜図８に示す。図５〜図８に示す矢印は、ステープルトレイ４０６における記録用紙の搬送方向（ステープルトレイ４０６への引き込み方向）である。また、図５〜図８に示すように、ステープルトレイ４０６上の所定の位置に記録用紙を積載するために、ストッパ４１０、ストッパ４１２及びガイド板４２０が設けられている。なお、図４及び図５〜図８における記録用紙の表裏は、この画像形成装置１５０においては表面側を上向きに排紙されるとしたものであるが、裏面側を上向きに排紙される画像形成装置も存在するため、記録用紙の表側と裏側とが図面と反転していたり、記録用紙の奥側と手前側とが図面と反転していたりするものであっても構わない。
【００５８】
図５は、図４（Ｅ）の手前側斜め綴じに対応する図であって、図６は、図４（Ｄ）の手前側１ヶ所綴じ及び図４（Ｂ）の奥側１ヶ所綴じに対応する図であって、図７は、図４（Ｃ）の奥側斜め綴じに対応する図であって、図８は、図４（Ａ）の２ヶ所綴じに対応する図である。
【００５９】
図５に示すように、手前側斜め綴じの場合には、ステープラ４０４は、ステープル位置と同じ位置で待機する。すなわち、ステープラ４０４は、待機位置から移動することなくステープル処理を行なう。
【００６０】
図６に示すように、手前側１ヶ所綴じの場合及び奥側１ヶ所綴じの場合には、ステープラ４０４は、中央位置で待機する。このとき、ステープラ４０４は、ステープル動作毎に、待機位置とステープル位置との間を往復する。この図６に示す１ヶ所綴じの場合には、１つのコピージョブにおける記録用紙の束毎にステープル位置を変更することができる。このようにすると、ステープルの位置をずらしてステープル処理を行なうので、排紙トレイ１６８に排出されたときに、ステープルどうしが重なり合うことがなく、記録用紙の一部が持ち上がることがない。これにより、排紙トレイ１６８上におけるストック部数が少なくなることを回避できて作業効率が悪くなることを抑制できる。さらに、ステープルが同一箇所にないので、前回排出した記録用紙のステープルに、現在排出中の記録用紙のステープルが引っ掛からないので排出不良が発生することを抑制できたり、スタック不揃いが発生することを抑制できたりする。
【００６１】
図７に示すように、奥側斜め綴じの場合には、ステープラ４０４は、ステープル位置よりも奥側の位置で待機する。このとき、ステープラ４０４は、ステープル動作毎に、待機位置とステープル位置との間を往復する。
【００６２】
図８に示すように、２ヶ所綴じの場合には、ステープラ４０４は、記録用紙の奥側のステープル位置で待機する。この場合、ステープル時の順序は、例えば２ヶ所のうちで、奥側、手前側の順であるとする。このため、ステープラ４０４は、奥側のステープル動作後に手前側のステープル位置まで移動する。すなわち、ステープラ４０４は、ステープル動作毎に、奥側のステープル位置と手前側のステープル位置との間を往復する。
【００６３】
なお、ステープル処理部４０８は、このような構造に限定されるものではなく、記録用紙の束にステープル処理を行なえるものであれば特に限定されない。また、ステープルの数は、１個以上であれば特に限定されないが、１〜２個程度のステープルにより記録用紙の束を綴じるステープル処理が多く用いられている。
【００６４】
この画像形成装置１５０は、以下に示すソフトウェア構成を備えたプログラムを実行することにより、後処理部４００における設定処理を制御する。
【００６５】
［ソフトウェア構成］
図９は、画像形成装置１５０で実行される後処理設定プログラムの制御構造を示すフローチャートである。このプログラムはサブルーチンプログラムとして記載している。すなわち、このプログラムは、後処理設定（仕上げ設定）が要求される場合に実行される。なお、画像形成装置１５０のＣＰＵ３００は、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【００６６】
図９を参照して、ステップ（以下、ステップをＳと記載する。）１０００にて、画像形成装置１５０のＣＰＵ３００（以下、単にＣＰＵ３００と記載する。）は、仕上げメニュー（後処理メニュー）が選択されたか否かを判定する。このとき、ＣＰＵ３００は、例えばメインメニューの仕上げボタン（ソフトウェアにより表示パネル１７２に表示されるボタン）がユーザにより押下されると、仕上げメニューが選択されたと判定する。仕上げメニューが選択されると（Ｓ１０００にてＹＥＳ）、処理はＳ１０１０へ移される。もしそうでないと（Ｓ１０００にてＮＯ）、この処理は終了する。
【００６７】
Ｓ１０１０にて、ＣＰＵ３００は、表示パネル１７２に仕上げメニューを表示する。Ｓ１０２０にて、ＣＰＵ３００は、ステープル処理及びパンチ処理が選択されたか否かを判定する。このとき、ＣＰＵ３００は、例えば仕上げメニューのステープル処理ボタン及びパンチ処理ボタン（ソフトウェアにより表示パネル１７２に表示されるボタン）がユーザにより押下されると、ステープル処理及びパンチ処理が選択されたと判定する。なお、本実施の形態においては、ステープル処理及びパンチ処理の選択の順序は特に限定されない。ステープル処理及びパンチ処理が選択されると（Ｓ１０２０にてＹＥＳ）、処理はＳ１０３０へ移される。もしそうでないと（Ｓ１０２０にてＮＯ）、この処理は終了する。
【００６８】
Ｓ１０３０にて、ＣＰＵ３００は、コピーの部数は複数であるか否かを判定する。コピーの部数は複数である場合には（Ｓ１０３０にてＹＥＳ）、処理はＳ１０４０へ移される。コピーの部数は１部であると（Ｓ１０３０にてＮＯ）、この処理はＳ１０５０へ移される。
【００６９】
Ｓ１０４０にて、ＣＰＵ１０３０は、ステープル処理について、ステープルは１ヶ所のみで部毎に（記録用紙の所定の束毎に）、変動する位置に自動で設定する。その後、処理はＳ１０６０へ移される。Ｓ１０５０にて、ＣＰＵ１０３０は、ステープル処理について、ステープルは１ヶ所のみの固定位置に自動で設定する。
【００７０】
Ｓ１０６０にて、ＣＰＵ３００は、仕上げ処理メニューにおいて、ステープル綴じ位置を指定するのではなく、綴じ方向の辺を指定するように変更する。なお、このＳ１０６０の処理を、原稿の大きさ及び方向並びに記録用紙の大きさに基づいて、ファイリングされる方向を判定して自動的に行なうようにしても構わない。
【００７１】
Ｓ１０７０にて、ＣＰＵ３００は、仕上げについての全ての指定が完了したか否かを判定する。仕上げについての全ての指定が完了すると（Ｓ１０７０にてＹＥＳ）、処理はＳ１０８０へ移される。もしそうでないと（Ｓ１０７０にてＮＯ）、この処理はＳ１０１０へ戻される。なお、所定時間が経過しても仕上げについての全ての指定が完了しない場合には、仕上げ処理設定を中断して、この処理を終了させても構わない。
【００７２】
Ｓ１０８０にて、ＣＰＵ３００は、ＯＫボタンを受付る。Ｓ１０９０にて、ＣＰＵ３００は、ＯＫボタンが押下されたか否かを判定する。このとき、ＣＰＵ３００は、例えば仕上げメニューのＯＫボタン（ソフトウェアにより表示パネル１７２に表示されるボタン）がユーザにより押下されると、ＯＫボタンが押下されたと判定する。ＯＫボタンが押下されると（Ｓ１０９０にてＹＥＳ）、処理は終了する。もしそうでないと（Ｓ１０９０にてＮＯ）、処理はＳ１０８０へ戻されて、ＯＫボタンが押下されるまで待つ。なお、所定時間が経過してもＯＫボタンが押下されない場合には、仕上げ処理設定を中断して、この処理を終了させても構わない。
【００７３】
［仕上げ処理設定動作］
以上のような構造及びフローチャートに基づく、本実施の形態に係る画像形成装置１５０の動作について、仕上げメニュー画面の一例を示す図１０を用いて説明する。
【００７４】
ユーザがコピーモードのメインメニューに表示された仕上げボタンを押下すると（Ｓ１０００にてＹＥＳ）、図１０に示す仕上げメニュー画面が表示パネル１７２に表示される（Ｓ１０１０）。
【００７５】
ステープル処理ボタン１７２Ａ及びパンチ処理ボタン１７２Ｃが押下されると（Ｓ１０２０にてＹＥＳ）、コピー部数が複数であるか否かが判定される（Ｓ１０３０）。コピーモードのメインメニューでコピー部数を２以上に設定しているとコピー部数が複数であって（Ｓ１０３０にてＹＥＳ）、ステープルは１ヶ所のみで部毎に（記録用紙の所定の束毎に）変動する位置に自動で設定される（Ｓ１０４０）。コピーモードのメインメニューでコピー部数を１に設定しているとコピー部数が複数ではなく（Ｓ１０３０にてＮＯ）、ステープルは１ヶ所のみの固定位置に自動で設定される（Ｓ１０５０）。
【００７６】
このように、ステープル処理及びパンチ処理が選択された場合には、ステープル綴じ位置を指定するのではなく、綴じ方向の辺を指定するように仕上げ処理メニューが変更される（Ｓ１０６０）。このとき、図１０のステープル綴じ位置指定ボタン１７２Ｂが無効になり、綴じ方向の辺を指定するボタン１７２Ｄが有効になる。
【００７７】
ユーザが綴じ方向の辺を指定を含む全ての指定が完了すると（Ｓ１０７０にてＹＥＳ）、ＯＫボタンの入力を受け付ける（Ｓ１０８０）。ユーザがＯＫボタン１７２Ｅを押下すると（Ｓ１０９０にてＹＥＳ）、仕上げ処理の設定が完了して、コピーモードのメインメニューへ戻る。
【００７８】
このように設定された画像形成装置１５０においては、スタートボタンが押下されるとコピーが開始される。ステープル処理及びパンチ処理が選択されている場合であって、コピー部数が１部である場合には、記録用紙１枚ずつに対してパンチ処理が行なわれるとともに、
（１）図５に示すステープル位置でステープル処理が行なわれて図４（Ｅ）に示すように手前側斜め位置で１ヶ所のみでステープル処理されるか、
（２）図６に示すステープル位置でステープル処理が行なわれて図４（Ｄ）に示すように手前側１ヶ所のみ又は図４（Ｂ）に示すように奥側１ヶ所のみでステープル処理されるか
（３）図７に示すステープル位置でステープル処理が行なわれて図４（Ｃ）に示すように奥側斜め位置で１ヶ所のみでステープル処理される。
【００７９】
また、ステープル処理及びパンチ処理が選択されている場合であって、コピー部数が２部以上である場合には、
（４）記録用紙の束毎にステープル位置がずらした位置でステープル処理が行なわれる。このとき、図４（Ｄ）に示す手前側のステープル位置から図４（Ｂ）に示す奥側のステープル位置までの範囲で１ヶ所のみでステープル処理される。
【００８０】
以上のようにして、本実施の形態に係る画像形成装置によると、パンチ処理及びステープル処理が要求された場合には、記録用紙の束に対して２ヶ所のステープル綴じが設定されないで１ヶ所のみでステープル綴じが設定される。さらに、複数の部数をコピーする場合には、１ヶ所綴じであって、部毎にステープルの位置をずらしたステープル綴じが設定される。この結果、ステープル処理及びパンチ処理を行なう場合に、ステープルは仮留めであるとの観点に基づいて、無駄なステープル処理を抑制して、資源の有効活用と省エネルギを図ることができる。さらに、複数の部数をコピーする場合にはステープルの位置をずらしてステープル処理を行なうので、ステープルどうしが重なり合うことがない。このため、排紙トレイ上のストック部数が少なくなることを回避できたり、ステープルどうしが引っ掛からないので排出不良が発生することを抑制できたり、スタック不揃いが発生することを抑制できたりする。
【００８１】
＜第２の実施の形態＞
以下に、本発明の第２の実施の形態に係る画像形成装置について説明する。なお、画像形成装置１５０及び後処理部４００（図１〜図８）については上述した第１の実施の形態と同じであるため、ここでの詳細な説明は繰返さない。
【００８２】
本実施の形態に係る画像形成装置１５０は、ＣＰＵ３００で実行されるプログラムの制御構造が上述した第１の実施の形態と異なる。それ以外については上述した第１の実施の形態と同じ参照符号を付してある。それらの構造及び作用は上述した第１の実施の形態と同じである。
【００８３】
［ソフトウェア構成］
図１１は、画像形成装置１５０で実行される後処理設定プログラムの制御構造を示すフローチャートであって、図９に示したフローチャートに対応する。なお、画像形成装置１５０のＣＰＵ３００は、上述した第１の実施の形態と同じく、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【００８４】
図１１を参照して、Ｓ２０００にて、ＣＰＵ３００は、２ヶ所綴じのステープル処理が選択されたか否かを判定する。このとき、ＣＰＵ３００は、例えば仕上げメニューのステープル処理ボタン及び２ヶ所ステープルボタン（ソフトウェアにより表示パネル１７２に表示されるボタン）がユーザにより押下されると、２ヶ所綴じのステープル処理が選択されたと判定する。２ヶ所綴じのステープル処理が選択されると（Ｓ２０００にてＹＥＳ）、処理はＳ２０１０へ移される。もしそうでないと（Ｓ２０００にてＮＯ）、この処理は終了する。
【００８５】
Ｓ２０１０にて、ＣＰＵ３００は、パンチ処理が選択されたか否かを判定する。このとき、ＣＰＵ３００は、例えば仕上げメニューのパンチ処理ボタンがユーザにより押下されると、パンチ処理が選択されたと判定する。なお、本実施の形態においては、ステープル処理の設定後にパンチ処理が設定される場合を想定している。パンチ処理が選択されると（Ｓ２０１０にてＹＥＳ）、処理はＳ２０２０へ移される。もしそうでないと（Ｓ２０１０にてＮＯ）、この処理は終了する。
【００８６】
Ｓ２０２０にて、ＣＰＵ３００は、Ｓ２０００にて選択された２ヶ所綴じのステープル処理を１ヶ所のみで綴じるステープル処理に自動的に変更して、その変更された内容を表示パネル１７２に表示する。
【００８７】
［仕上げ処理設定動作］
以上のような構造及びフローチャートに基づく、本実施の形態に係る画像形成装置１５０の動作について、仕上げメニュー画面の一例を示す図１０を用いて説明する。なお、この動作の説明においても、上述した第１の実施の形態と同じ動作の説明については繰返さない。
【００８８】
ユーザがコピーモードのメインメニューに表示された仕上げボタンを押下すると（Ｓ１０００にてＹＥＳ）、図１０に示す仕上げメニュー画面が表示パネル１７２に表示される（Ｓ１０１０）。
【００８９】
ステープル処理ボタン１７２Ａ及びステープル綴じ位置指定ボタン１７２Ｂの２ヶ所綴じボタンが押下され（Ｓ２０００にてＹＥＳ）、さらに、パンチ処理ボタン１７２Ｃが押下されると（Ｓ２０１０にてＹＥＳ）、２ヶ所綴じのステープル処理が１ヶ所のみで綴じるステープル処理に自動的に変更される（Ｓ２０２０）。
【００９０】
このとき、ステープル綴じ位置指定ボタン１７２Ｂにおいて、選択されたことを示すために反転表示されていた２ヶ所綴じボタンが反転表示されなくなり、１ヶ所綴じボタンが反転表示されて、変更された内容が表示パネル１７２に表示される（Ｓ２０２０）。さらに、このとき、ユーザに注意を喚起するために、１ヶ所綴じボタンを点滅させて表示するようにしても構わない。
【００９１】
なお、本実施の形態においても、第１の実施の形態と同じように複数の部数をコピーする場合には、ステープルの位置を記録用紙の束毎に変更するようにしても構わない。
【００９２】
以上のようにして、本実施の形態に係る画像形成装置によると、ステープル２ヶ所綴じ処理が設定された後にパンチ処理が設定された場合には、設定されたステープル２ヶ所綴じがキャンセルされて１ヶ所のみでステープル綴じが自動的に設定されて、その変更が表示される。この結果、ステープル処理及びパンチ処理を行なう場合に、ステープルは仮留めであるとの観点に基づいて、無駄なステープル処理を抑制して、資源の有効活用と省エネルギを図ることができる。
【００９３】
＜第３の実施の形態＞
以下に、本発明の第３の実施の形態に係る画像形成装置について説明する。なお、画像形成装置１５０及び後処理部４００（図１〜図８）については上述した第１の実施の形態と同じであるため、ここでの詳細な説明は繰返さない。
【００９４】
本実施の形態に係る画像形成装置１５０は、ＣＰＵ３００で実行されるプログラムの制御構造が上述した第１の実施の形態及び第２の実施の形態と異なる。それ以外については上述した第１の実施の形態と同じ参照符号を付してある。それらの構造及び作用は上述した第１の実施の形態と同じである。
【００９５】
［ソフトウェア構成］
図１２は、画像形成装置１５０で実行される後処理設定プログラムの制御構造を示すフローチャートであって、図９及び図１１に示したフローチャートに対応する。なお、画像形成装置１５０のＣＰＵ３００は、上述した第１の実施の形態と同じく、このようなプログラムと並行して、画像形成装置としての一般的機能を実現するプログラムを実行する。しかしながら、そのプログラムは、本発明の本質的部分とは直接関係するものではないので、その詳細についてはここでは説明しない。
【００９６】
図１２を参照して、Ｓ３０００にて、ＣＰＵ３００は、パンチ処理が選択されたか否かを判定する。このとき、ＣＰＵ３００は、例えば仕上げメニューのパンチ処理ボタンがユーザにより押下されると、パンチ処理が選択されたと判定する。なお、本実施の形態においては、ステープル処理の設定前にパンチ処理が設定される場合を想定している。パンチ処理が選択されると（Ｓ３０００にてＹＥＳ）、処理はＳ３０１０へ移される。もしそうでないと（Ｓ３０００にてＮＯ）、この処理は終了する。
【００９７】
Ｓ３０１０にて、ＣＰＵ３００は、仕上げ処理メニューにおいて、１ヶ所綴じステープル処理のみが選択できるように（２ヶ所綴じステープル処理が選択できないように）変更する。
【００９８】
［仕上げ処理設定動作］
以上のような構造及びフローチャートに基づく、本実施の形態に係る画像形成装置１５０の動作について、仕上げメニュー画面の一例を示す図１０を用いて説明する。
【００９９】
ユーザがコピーモードのメインメニューに表示された仕上げボタンを押下すると（Ｓ１０００にてＹＥＳ）、図１０に示す仕上げメニュー画面が表示パネル１７２に表示される（Ｓ１０１０）。
【０１００】
パンチ処理ボタン１７２Ｃが押下されると（Ｓ３０００にてＹＥＳ）、仕上げ処理メニューにおいて、１ヶ所綴じステープル処理のみが選択できるように変更される（Ｓ３０１０）。
【０１０１】
このように、ステープル処理の前にパンチ処理が選択された場合には、ステープル綴じ位置については２ヶ所綴じが選択できなくなるように仕上げ処理メニューが変更される（Ｓ３０１０）。このとき、図１０のステープル綴じ位置指定ボタン１７２Ｂの２ヶ所綴じボタンが無効になり、１ヶ所綴じボタンが有効になる。
【０１０２】
なお、本実施の形態においても、第１の実施の形態と同じように複数の部数をコピーする場合には、ステープルの位置を記録用紙の束毎に変更するようにしても構わない。
【０１０３】
以上のようにして、本実施の形態に係る画像形成装置によると、ステープル処理が設定される前にパンチ処理が設定された場合には、ステープル２ヶ所綴じが設定できなくなる。この結果、ステープル処理及びパンチ処理を行なう場合に、ステープルは仮留めであるとの観点に基づいて、無駄なステープル処理を抑制して、資源の有効活用と省エネルギを図ることができる。
【０１０４】
＜変形例＞
上述した実施の形態におけるステープルによる仮留め態様を、以下のように変形させることもできる。
【０１０５】
（ａ）ステープル処理において、記録用紙の束にステープル針を貫通させた後に通常であれば図１３（Ｄ）に示すように裏面側で折り曲げるのであるが、図１３（Ａ）に示すように、折り曲げる部分を切断する。このようにすると、ファイリングするまでは記録用紙の束がバラバラになることを抑制しつつ、ファイリングする場合に容易にステープルを取り外すことができるようになる。なお、ステープル針の切断機構は従来から後処理装置が備えているので、特段のコストアップにもならない。
【０１０６】
（ｂ）図１３（Ｂ）に示すように、ステープル針の一方側のみについて、折り曲げる部分を切断するようにしても構わない。
【０１０７】
（ｃ）図１３（Ｃ）に示すように、ステープル針の一方側を、パンチ穴に貫通させるようにしても構わない。このようにすると、ファイリングするまでは記録用紙の束がバラバラになることを抑制しつつ、ファイリングする場合に容易にステープルを取り外すことができるようになる。なお、ステープラの移動機構は上述したように後処理装置が備えているので、特段のコストアップにもならない。なお、上述した変形例を適宜組合せても構わない。
【０１０８】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味及び範囲内でのすべての変更を含む。
【符号の説明】
【０１０９】
１５０  画像形成装置
１５２  原稿読取部
１５４  画像形成部
１５６  給紙部
１６６  操作装置
１７０  操作パネル
１７２  表示パネル
３００  ＣＰＵ
３０２  ＨＤＤ
３０６  ＲＯＭ
３０８  ＲＡＭ
３１０  バス
４００  後処理部
４０２  パンチ処理部
４０４  ステープラ
４０６  ステープルトレイ
４０８  ステープル処理部
【図１】
2010280461.tif 000003
【図２】
2010280461.tif 000004
【図３】
2010280461.tif 000005
【図４】
2010280461.tif 000006
【図５】
2010280461.tif 000007
【図６】
2010280461.tif 000008
【図７】
2010280461.tif 000009
【図８】
2010280461.tif 000010
【図９】
2010280461.tif 000011
【図１０】
2010280461.tif 000012
【図１１】
2010280461.tif 000013
【図１２】
2010280461.tif 000014
【図１３】
2010280461.tif 000015